(57)【要約】【課題】実物の累進屈折力レンズを介して携帯表示端末に表示された動画を観察させて、それぞれの累進屈折力レンズの見え方の相違を実感させる。【解決手段】レンズ性能比較装置は、異なるレンズ特性を有する複数の累進屈折力レンズのそれぞれを、携帯表示端末の表示面に対向して保持する保持部と、携帯表示端末の表示面と複数の累進屈折力レンズとの相対位置を、表示面と実質的に平行な平面上で調整可能な脚部とを有する。【選択図】図２
2015004707.tif 000002
【特許請求の範囲】
【請求項１】
異なるレンズ特性を有する複数の累進屈折力レンズのそれぞれを、携帯表示端末の表示面に対向して保持する保持部と、
前記携帯表示端末の表示面と前記複数の累進屈折力レンズとの相対位置を、前記表示面と実質的に平行な平面上で調整可能な脚部とを有することを特徴とするレンズ性能比較装置。
【請求項２】
請求項１に記載のレンズ性能比較装置において、
前記保持部には、前記複数の累進屈折力レンズが所定方向に沿って配列され、
前記脚部は、前記累進屈折力レンズが前記携帯表示端末の表示面から所定の高さに支持されるように前記保持部の前記所定方向の一方の端部を支持する第１脚部と、前記累進屈折力レンズが前記携帯表示端末の表示面から所定の高さに支持されるように前記保持部の前記所定方向の他方の端部を支持する第２脚部とによって構成され、
前記第１脚部の下端と、前記第２脚部の下端とは、前記所定方向に沿って、前記携帯表示端末の大きさに応じた間隔を有することを特徴とするレンズ性能比較装置。
【請求項３】
請求項２に記載のレンズ性能比較装置において、
前記第１脚部の下端と、前記第２脚部の下端とが、前記携帯表示端末を前記所定方向に沿って外側から挟持することを特徴とするレンズ性能比較装置。
【請求項４】
請求項１乃至３の何れか一項に記載のレンズ性能比較装置において、
前記携帯表示端末を着脱可能に載置可能な載置部をさらに備え、
前記脚部は、前記載置部上を二次元移動することを特徴とするレンズ性能比較装置。
【請求項５】
請求項４に記載のレンズ性能比較装置において、
前記載置部は、前記携帯表示端末の表示面が水平面に対して所定の角度を形成するように前記携帯表示端末を載置することを特徴とするレンズ性能比較装置。
【請求項６】
請求項１乃至５の何れか一項に記載のレンズ性能比較装置において、
前記複数の累進屈折力レンズは、非点収差領域に応じた方向に沿って前記保持部上に配列されることを特徴とするレンズ性能比較装置。
【請求項７】
請求項１乃至６の何れか一項に記載のレンズ性能比較装置と、
通信回線を介して動画データを取得して、前記携帯表示端末に読み込む読込手段と、
前記読込手段により読み込まれた前記動画データに対応する動画を、前記携帯表示端末の表示面に前記複数の累進屈折力レンズにより観察可能に再生する再生手段とを備えることを特徴とするレンズ性能比較システム。
【請求項８】
請求項７に記載のレンズ性能比較システムにおいて、
前記再生手段は、前記動画として、前記複数の累進屈折力レンズが配列された方向または当該方向と直交する方向に移動し、実質的に同一の大きさの動体物を、前記複数の累進屈折力レンズを介して観察者の視線を前記累進屈折力レンズが配列された方向と直交する方向において所定位置に保持させたまま観察可能に再生することを特徴とするレンズ性能比較システム。
【請求項９】
請求項８に記載のレンズ性能比較システムにおいて、
前記再生手段は、観察者の視線を前記複数の累進屈折力レンズのうちの非点収差領域の近傍に保持させるための前記動画を再生した後、前記動体物を前記動画として再生することを特徴とするレンズ性能比較システム。
【請求項１０】
異なるレンズ特性を有する複数の累進屈折力レンズのそれぞれを、携帯表示端末の表示面に対向して保持し、
通信回線を介して動画データを取得して、前記携帯表示端末に読み込み、
前記読み込まれた動画データに対応する動画を、前記複数の累進屈折力レンズを介して観察可能に前記携帯表示端末の表示面に再生することを特徴とするレンズ性能比較方法。
【請求項１１】
請求項１０に記載のレンズ性能比較方法において、
前記動画として、前記複数の累進屈折力レンズが配列された方向または当該方向と直交する方向に移動し、実質的に同一の大きさの動体物を、前記複数の累進屈折力レンズを介して観察者の視線を前記累進屈折力レンズが配列された方向と直交する方向において所定位置に保持させたまま観察可能に再生することを特徴とするレンズ性能比較方法。
【請求項１２】
請求項１１に記載のレンズ性能比較方法において、
観察者の視線を前記複数の累進屈折力レンズのうちの非点収差領域の近傍に保持させるための前記動画を再生した後、前記動体物を前記動画として再生することを特徴とするレンズ性能比較方法。
【発明の詳細な説明】
【技術分野】
【０００１】
本発明は、レンズ性能比較装置、レンズ性能比較システムおよびレンズ性能比較方法に関する。
【背景技術】
【０００２】
従来から、レンズ特性の異なる累進屈折力レンズを介して文字等を観察した様子をコンピュータの画面上に再生することにより、それぞれの累進屈折力レンズによる見え方の相違を表示する技術が知られている（たとえば非特許文献１）。
【先行技術文献】
【非特許文献】
【０００３】
【非特許文献１】ＨＯＹＡビジョンケアカンパニー、“メガネレンズについて＞＞ＨＯＹＡ独自の最新メガネレンズ設計について”、［ｏｎｌｉｎｅ］、［平成２５年６月７日検索］、インターネット＜ＵＲＬ：http://www.vc.hoya.co.jp/hoya/boom.html＞
【発明の概要】
【発明が解決しようとする課題】
【０００４】
しかしながら、実物の累進屈折力レンズを介して実物の文字や動画等を観察するものではないため、見え方の相違を実感しにくいという問題がある。
【課題を解決するための手段】
【０００５】
請求項１に記載のレンズ性能比較装置は、異なるレンズ特性を有する複数の累進屈折力レンズのそれぞれを、携帯表示端末の表示面に対向して保持する保持部と、携帯表示端末の表示面と複数の累進屈折力レンズとの相対位置を、表示面と実質的に平行な平面上で調整可能な脚部とを有することを特徴とする。
請求項７に記載のレンズ性能比較システムは、請求項１乃至６の何れか一項に記載のレンズ性能比較装置と、通信回線を介して動画データを取得して、携帯表示端末に読み込む読込手段と、読込手段により読み込まれた動画データに対応する動画を、携帯表示端末の表示面に複数の累進屈折力レンズにより観察可能に再生する再生手段とを備えることを特徴とする。
請求項１０に記載のレンズ性能比較方法は、異なるレンズ特性を有する複数の累進屈折力レンズのそれぞれを、携帯表示端末の表示面に対向して保持し、通信回線を介して動画データを取得して、携帯表示端末に読み込み、読み込まれた動画データに対応する動画を、複数の累進屈折力レンズを介して観察可能に携帯表示端末の表示面に再生することを特徴とする。
【発明の効果】
【０００６】
本発明によれば、異なるレンズ特性を有する複数の累進屈折力レンズのそれぞれの性能差を、携帯表示端末の表示画像との比較で実感させることができる。
【図面の簡単な説明】
【０００７】
【図１】本発明の実施の形態によるレンズ性能比較システムの構成図
【図２】実施の形態によるレンズ性能比較システムを構成するレンズ性能比較装置の外観斜視図
【図３】実施の形態によるレンズ性能比較装置の観察部を説明する外観図
【図４】実施の形態によるレンズ性能比較装置の載置部を説明する外観図
【図５】累進屈折力レンズのレンズ特性を説明する図
【図６】携帯表示端末の制御系の構成を説明するブロック図
【図７】携帯表示端末の表示用モニタの表示例を説明する図
【図８】携帯表示端末の表示用モニタの表示例を説明する図
【図９】実施の形態によるレンズ性能比較システムの動作を説明するフローチャート
【発明を実施するための形態】
【０００８】
本発明の態様のレンズ性能比較システムは、ＰＡＤ等の携帯型コンピュータや、ｉＰａｄ（登録商標）、スマートホン等の携帯型タブレット端末に代表される携帯表示端末を用いて、レンズ特性の異なる複数の累進屈折力レンズの性能比較を容易に行わせる。レンズ性能比較システムは、インターネット等の通信回線を介して取得した動画データを携帯表示端末に読み込み、読み込んだ動画データに対応する動画を携帯表示端末上で再生表示して、レンズ性能比較装置に保持された複数の累進屈折力レンズを介して観察者に観察させる。観察者はそれぞれの累進屈折力レンズを介して動画を観察するだけでレンズ特性の優劣を容易に比較できるので、性能が改善された累進屈折力レンズの販売促進等への寄与度を高くすることができる。以下、詳細に説明する。
【０００９】
−実施の形態−
図面を参照しながら、本発明の実施の形態に係るレンズ性能比較システムについて説明する。図１は、本発明に係るレンズ性能比較装置を含むレンズ性能比較システムの構成図である。図１に示すように、レンズ性能比較システム１は、レンズ性能比較装置１００と、携帯表示端末２００と、アクセスポイントＡＰと、サーバＳＢと、データベースＤＢとを含んで構成されている。アクセスポイントＡＰとサーバＳＢとは、ネットワークＮＥを介して接続されている。
【００１０】
携帯表示端末２００は、後述するように、アクセスポイントＡＰと各種の情報を通信するための通信機能を有している。この通信機能により、アクセスポイントＡＰおよびネットワークＮＥを介して、携帯表示端末２００とサーバＳＢとが接続される。なお、携帯表示端末２００については、後に図６〜図８を用いて詳細に説明する。
【００１１】
アクセスポイントＡＰは、携帯表示端末２００を含む通信機能を備えた各種の機器がネットワークＮＥを使用して通信可能とするための装置である。携帯表示端末２００とアクセスポイントＡＰとが通信を行うことにより、前述のように携帯表示端末２００とサーバＳＢとが接続される。
【００１２】
サーバＳＢは、データベースＤＢを格納している。このデータベースＤＢには、携帯表示端末２００で再生表示するための動画に対応する参照画像データが記録されている。参照画像データとして、たとえば新聞、小説、時刻表、楽譜等の複数の文字や記号が複数行または複数列配列された画像データや、複数の格子模様からなる画像データや、進行方向に沿って延在する動体物を撮影して生成された動画データが含まれる。なお、上記の動体物としては、列車や、トラック等の走行車両や、飛行機等が含まれ、動体物の大きさが実質的に同一となる方向、すなわち動体物の進行方向に対して実質的に９０度をなす方向から撮影されている。すなわち、動画データに対応する動画上の異なる位置で動体物の大きさの変化が視認可能とならない方向から撮影されている。
【００１３】
サーバＳＢは、後述するように携帯表示端末２００から参照画像データの送信を要求する要求信号をアクセスポイントＡＰを介して入力すると、サーバＳＢはデータベースＤＢから参照画像データを読み出す。サーバＳＢは、読み出した参照画像データをアクセスポイントＡＰを介して携帯表示端末２００に対して送信する。サーバＳＢは、データベースＤＢから読み出した参照画像データを送信し終えると、携帯表示端末２００に対して送信終了信号を送信する。
【００１４】
次に、図２を参照してレンズ性能比較装置１００について説明する。図２は、レンズ性能比較装置１００の外観斜視図である。図２に示すように、レンズ性能比較装置１００は、観察部１１０と載置部１２０とにより構成される。本実施の形態のレンズ性能比較装置１００は、観察部１１０を載置部１２０上に着脱可能に構成されている。すなわち、図２（ａ）に示すように観察部１１０を載置部１２０上に載置して使用することも、図２（ｂ）に示すように観察部１１０を載置部１２０から取り外して使用することも可能に構成されている。なお、説明の都合上、図２に示すようにｘ軸、ｙ軸、ｚ軸からなる座標系を設定する。
【００１５】
図３は観察部１１０の外観図であり、図３（ａ）は観察部１１０をｘｙ平面上部から見た場合の外観図であり、図３（ｂ）は観察部１１０をｘｚ平面から見た場合の外観図である。なお、図３においても、図２と対応付けて座標系を設定している。観察部１１０は、後述するようにして携帯表示端末２００に再生表示される動画を累進屈折力レンズＬ１、Ｌ２を透過して観察可能となるように、累進屈折力レンズＬ１、Ｌ２を携帯表示端末２００に対向させて保持するための部材である。
【００１６】
観察部１１０は、レンズ特性が異なる２つの累進屈折力レンズＬ１、Ｌ２が配列された保持部１１１と、保持部１１１を携帯表示端末２００から所定の高さに支持するための第１脚部１１２と第２脚部１１３とによって構成される。保持部１１１はｘ軸方向を長辺方向とする矩形形状の部材により形成され、ｘ軸方向に沿って開口１１４と１１５とが設けられている。開口１１４および１１５は、累進屈折レンズＬ１、Ｌ２をそれぞれ取り付けるための取付開口であり、累進屈折力レンズＬ１、Ｌ２の大きさに対応した開口径を有している。なお、累進屈折力レンズＬ１、Ｌ２の詳細については、説明を後述する。
【００１７】
第１脚部１１２は、保持部１１１のｘ軸−側の端部１１６に連続して形成され、ｚ軸−方向に向かって延在する。第２脚部１１３は、保持部１１１のｘ軸＋側の端部１１７に連続して形成され、ｚ軸−方向に向かって延在する。すなわち、図３（ｂ）に示すように、観察部１１０のｘｚ断面はコの字形状を有している。第１脚部１１２のｚ軸−側の端部１１２ａと、第２脚部１１３のｚ軸−側の端部１１３ａとは、ｘ軸方向に沿って携帯表示端末２００の長辺方向の長さに応じた間隔を有するように形成される。本実施の形態においては、端部１１２ａは携帯表示端末２００をｘ軸−側から、端部１１３ａは携帯表示端末２００をｘ軸＋側から挟持可能となる間隔を有するように形成されている。なお、端部１１２ａと端部１１３ａとが携帯表示端末２００を挟持可能となる間隔を有するものに限定されず、携帯表示端末２００の長辺方向の長さよりも長い間隔を有するものも、本発明の一態様に含まれる。なお、図３（ｂ）においては、第１脚部１１２と第２脚部１１３とのｘ軸方向に沿った間隔が、ｚ軸−側に向かうほど大きくなる形状を示しているが、この例に限定されるものではない。第１脚部１１２および第２脚部１１３とのｘ軸方向に沿った間隔が一定に保たれた形状を有するものについても本発明の一態様に含まれる。
【００１８】
図４は載置部１２０の外観図であり、図４（ａ）は載置部１２０をｘｙ平面上部から見た場合の外観図であり、図４（ｂ）は図４（ａ）のＡ−Ａ線から見た外観図である。なお、図４においても、図２と対応付けて座標系を設定している。載置部１２０は、上述した観察部１１０に配列された累進屈折力レンズＬ１、Ｌ２を介して携帯表示端末２００の表示面を観察する際に、携帯表示端末２００を載置するため使用される部材である。本実施の形態の載置部１２０は、携帯表示端末２００の表示面が水平面に対して所定の角度を有して載置されるように、すなわち携帯表示端末２００の表示面がｚ軸と直交する方向となるように水平方向に対して傾斜した形状を有している。
【００１９】
載置部１２０は、挿入部１２１と、平面部１２２と、傾斜脚部１２３とにより構成される。挿入部１２１には、携帯表示端末２００を載置部１２０に載置して使用する際に、携帯表示端末２００が挿入される。平面部１２２は、傾斜脚部１２３のうち水平方向に所定の角度を有する斜面に取り付けられることにより、ｚ軸と直交する平面を形成するように設けられている。なお、この所定の角度は、観察者が携帯表示端末２００の表示面を観察する際に、無理な姿勢を取る必要がないような角度となるように実験等の結果に基づいて決定されることが好ましい。
【００２０】
平面部１２２には、挿入部１２１に携帯表示端末２００が挿入された際に、携帯表示端末２００の表示面が観察可能となるように開口１２２ａと、観察部１１０を載置するための凹部１２２ｂ、１２２ｃとが設けられている。凹部１２２ｂ、１２２ｃは、平面図１２２の表面よりもｚ軸−方向に所定の長さだけ低い位置に矩形形状を有する平面を形成する。凹部１２２ｂ、１２２ｃには、上述した観察部１１０の端部１１２ａ、１１３ａが載置される。このため、端部１１２ａ、１１３ａは、凹部１２２ｂ、１２２ｃが有する矩形形状によって規定される平面上を二次元移動可能にそれぞれ載置される。この結果、観察部１１０は、載置部１２０に対してｘｙ平面に平行な面上を二次元移動可能に載置される。
【００２１】
レンズ性能比較装置１００が上記の構造を有することにより、図２（ａ）に示すように、携帯表示端末２００が載置部１２０に載置されている場合には、観察部１１０をｘｙ平面に沿って二次元移動させて、携帯表示端末２００と累進屈折力レンズＬ１、Ｌ２との相対位置を調節することができる。また、図２（ｂ）に示すように、携帯表示端末２００が載置部１２０に載置されず、観察部１１０を載置部１２０と分離して使用する場合には、観察部１１０を携帯表示端末２００の短辺に平行な方向、すなわちｙ軸方向に沿って移動させることにより、携帯表示端末２００と累進屈折力レンズＬ１、Ｌ２との相対位置を調節することができる。
【００２２】
次に、観察部１１０に取り付けられる累進屈折力レンズＬ１、Ｌ２について説明する。図５に示すように、一般的に累進屈折力レンズは、レンズの中に遠くを見るための遠用部領域Ｒ１と、近くを見るための近用部領域Ｒ２と、遠用部領域と近用部領域との間に中間部領域の度数が累進的に変化する累進部領域Ｒ３とを有している。また、累進屈折力レンズの側方下部には非点収差領域Ｒ４、Ｒ５が存在し、この非点収差領域Ｒ４、Ｒ５を介して物体を観察する場合、その物体は歪みやボケが発生した状態で観察される。なお、図５に示すように、累進屈折力レンズの下部には、紙面左側から非点収差領域Ｒ５、累進部領域Ｒ３、非点収差領域Ｒ４がこの順序で並んで存在する。以後の説明では、上記の順序を並び方向と呼ぶ。
【００２３】
本実施の形態の累進屈折力レンズＬ１、Ｌ２は、レンズ特性として、非点収差領域に起因する歪みやボケの発生度合が異なっている。すなわち、累進屈折力レンズＬ１は、従来の製造方法を用いて製造されたレンズであり、非点収差領域に起因する歪みやボケの影響が大きいレンズであり、累進屈折力レンズＬ２は、非点収差領域に起因する歪みやボケの影響を抑制するようにして製造されたレンズである。換言すると、累進屈折力レンズＬ２は、累進屈折力レンズＬ１よりも非点収差領域による影響が小さいレンズである。
【００２４】
本実施の形態では、上述したように、非点収差領域による影響が従来と同様の累進屈折力レンズＬ１と、非点収差領域による影響が改善された累進屈折力レンズＬ２とが観察部１１０の保持部１１１にｘ軸方向に沿って取り付けられている。そして、累進屈折力レンズＬ１、Ｌ２のそれぞれの並び方向がｘ軸方向に沿うように累進屈折力レンズＬ１、Ｌ２が取り付けられている。なお、この並び方向（ｘ軸方向）は、通常の累進屈折力レンズを装用する際の水平方向に対応する。そして、後述するように、携帯表示端末２００の画面上を、ｘ軸方向またはｙ軸方向に進行する動画を再生表示させることによって、累進屈折力レンズＬ１、Ｌ２の性能、特に累進屈折レンズＬ１、Ｌ２の下半分に含まれる非点収差領域による影響の大小を容易に比較できる。
【００２５】
以下、図６を参照して携帯表示端末２００の制御系の構成について説明する。携帯表示端末２００は、上述したように、ＰＡＤ等の携帯型コンピュータや、ｉＰａｄ（登録商標）、スマートホン等の携帯型タブレット端末である。図６のブロック図に示すように、携帯表示端末２００は、制御装置２０１と、表示用モニタ２０２と、タッチパネル２０３と、通信部２０４と、メモリ２０５とを備えている。
【００２６】
表示用モニタ２０２は、たとえばアスペクト比が縦３：横４の液晶表示パネルであり、制御装置２０１からの制御信号に応じて各種の画像や文字情報が表示される。表示用モニタ２０２にはタッチパネル２０３が設けられている。ユーザが表示用モニタ２０２の表面を指で押圧することによって、タッチパネル２０３は携帯表示端末２００を操作するための操作信号を出力する。タッチパネル２０３は、指やタッチペンで押圧された押圧位置を特定する情報（たとえば座標値）を操作信号として制御装置２０１へ出力する。
【００２７】
通信部２０４は、たとえばアンテナや通信回路等を備える無線通信装置であり、外部機器との間で、たとえば国際標準規格であるＷｉＦｉ（Ｗｉｒｅｌｅｓｓ  Ｆｉｄｅｌｉｔｙ）認証に対応した無線通信方式によって無線通信を行う。通信部２０４は、後述する制御装置２０１からの通信の開始を指示する通信指示信号を入力すると起動され、アクセスポイントＡＰを介してネットワークＮＥとの間で各種情報の送受信を行う。本実施の形態の携帯表示端末２００は、通信部２０４を介して、ネットワークＮＥに接続されたサーバＳＢから上述した参照画像データを取得する。
【００２８】
制御装置２０１は、ＣＰＵやメモリその他の周辺回路によって構成され、携帯表示端末２００を構成する各部に対して制御信号を出力して、携帯表示端末２００の動作を制御する。また、制御装置２０１は、読込部２０１ａと再生部２０１ｂとを機能として備えている。読込部２０１ａは、上述した通信部２０４によって通信回線を介して取得された参照画像データを読み込み、メモリ２０５に格納する。再生部２０１ｂは、メモリ２０５に格納された参照画像データを読み出して再生用動画データを生成し、表示用モニタ２０２に動画を再生表示させる。なお、読込部２０１ａおよび再生部２０１ｂの詳細については説明を後述する。
【００２９】
次に、図７、図８を参照しながら、レンズ性能比較システム１として使用する場合の携帯表示端末２００の動作について説明する。携帯表示端末２００をレンズ性能比較システム１の構成要素として用いる際には、表示用モニタ２０２に表示される所定のサインイン画面からサインインする。この場合、表示用モニタ２０２には、図７（ａ）に示すユーザ名入力画面３００と、パスワード３０１と、キーボード３０２とが表示される。キーボード３０２をタッチ操作することによりユーザ名とパスワードを入力すると、制御装置２０１は、通信部２０４を制御して、上述したようにして参照画像データを取得させる。
【００３０】
通信部２０４を介して取得された参照画像データは、読込部２０１ａによりメモリ２０５に格納される。なお、参照画像データは、上述したように、複数の文字や記号が複数行または複数列配列された画像データや、格子模様からなる画像データや、進行方向に沿って延在する動体物を撮影して生成された動画データにより構成される。参照画像データがメモリ２０５に格納されると、制御装置２０１は、表示用モニタ２０２に動画の再生表示の開始を促すメッセージを表示させる。たとえば図７（ｂ）に示すように、「画面をタッチしてください」等のメッセージが表示されることが好ましい。
【００３１】
観察者により画面がタッチされ、タッチパネル２０３から操作信号が出力されると、制御装置２０１の再生部２０１ｂは、ユーザに累進屈折力レンズＬ１、Ｌ２の下部、すなわち非点収差領域の影響が顕著となる非点収差領域の近傍に視線が位置するように促すメッセージを表示用モニタ２０２に表示する。この場合、「レンズの下半分を見て下さい」等のメッセージが表示されることが好ましい。また、このメッセージは、表示用モニタ２０２の下部、すなわちｙ軸−側に、ｘ軸方向に沿って移動する動画として再生表示される。この結果、観察者は累進屈折力レンズＬ１、Ｌ２の下部に視線を位置させ、かつその位置に視線を保持し易くするように姿勢を変えたり、観察部１１０を移動させるように促すことが可能になる。この結果、観察者は、視線を累進屈折力レンズＬ１、Ｌ２の配列方向と直交する方向（すなわちｙ軸方向）の位置を累進屈折力レンズＬ１、Ｌ２の下部に保持した状態で動画を観察することが可能になる。なお、上記のメッセージが動画として表示されないものについても本発明の一態様に含まれる。
【００３２】
メッセージを表示した後、再生部２０１ｂは、メモリ２０５に格納された参照画像データを読み出して再生用動画データを生成する。そして、再生部２０１ｂは、生成した再生用動画データに対応する動画を表示用モニタ２０２に再生表示させる。この場合、再生部２０１ｂは、参照画像データに含まれる画像データを用いる場合には、画像データを構成する文字や記号が、表示用モニタ２０２に表示された際にｘ軸方向またはｙ軸方向に沿って移動する動画として観察されるように再生用動画データを生成する。参照画像データに含まれる動画データを用いる場合には、再生部２０１ｂは、動体物を撮影して生成された動画データをそのまま再生用動画データとして使用する。
【００３３】
図８（ａ）に表示用モニタ２０２に表示された動画の一例として、動体物Ｔｒである列車が表示された場合を示す。上述したように、動画上の異なる位置で動体物Ｔｒである列車の大きさの変化が観察可能とならないように撮影されているので、表示用モニタ２０２には、ｘ軸方向に沿って進行する列車が動体物Ｔｒとして動画表示される。
【００３４】
図８（ｂ）は、図８（ａ）に示すように表示用モニタ２０２に表示された動体物Ｔｒである列車を累進屈折力レンズＬ１、Ｌ２を介して観察される様子を模式的に示した図である。上述したように、本実施の形態による累進屈折力レンズＬ１は、非点収差領域による歪みやボケの影響が大きいレンズである。このため、図８（ｂ）に示すように、累進屈折力レンズＬ１を介して観察される動体物Ｔｒである列車には、大きな歪みが発生する。累進屈折力レンズＬ２は、非点収差領域による歪みやボケの影響を抑制したレンズである。このため、図８（ｂ）に示すように、累進屈折力レンズＬ２を介して観察される動体物Ｔｒ（列車）は、歪みやボケの影響が小さく、図８（ａ）に示すように、表示用モニタ２０２に表示されている動体物Ｔｒ（列車）とほぼ同一の形状として観察される。
【００３５】
図８（ｂ）に示すように、同一の動体物Ｔｒが隣接して配列された、非点収差領域による影響が異なる累進屈折力レンズＬ１、Ｌ２によって観察されることにより、それぞれの累進屈折力レンズＬ１、Ｌ２における非点収差領域による影響の相違を容易に把握することができる。さらに、累進屈折力レンズＬ１、Ｌ２を介して動画を観察することにより、観察者は、非点収差領域に起因する歪みやボケの影響を、静止画を観察する場合よりもより明確に把握することができる。
【００３６】
図９のフローチャートを参照しながら、レンズ性能比較システム１の動作を説明する。図９の処理を行うプログラムは制御装置２０１内の図示しないメモリに格納されており、ユーザによるサインインが行われると制御装置２０１により起動され、実行される。
【００３７】
ステップＳ１では、表示用モニタ２０２に図７（ａ）に示すユーザ名入力画面３００と、パスワード３０１と、キーボード３０２とを表示してステップＳ２へ進む。ステップＳ２では、ユーザによるユーザ名とパスワードの入力が行われたか否かを判定する。タッチパネル２０３の操作に応じて操作信号が入力され、ユーザ名とパスワードの入力が行われた場合には、ステップＳ２が肯定判定されてステップＳ３へ進む。ユーザ名とパスワードの入力が行われていない場合には、当該判定処理を繰り返す。
【００３８】
ステップＳ３では、通信部２０４を介してネットワークＮＥに接続されたサーバＳＢから上述した参照画像データを取得してステップＳ４へ進む。ステップＳ４では、取得した参照画像データをメモリ２０５に格納してステップＳ５へ進む。ステップＳ５では、図７（ｂ）に示すように、表示用モニタ２０２に動画の再生表示の開始を促すメッセージを表示してステップＳ６へ進む。
【００３９】
ステップＳ６では、動画の再生表示の開始が指示されたか否かを判定する。ユーザによるタッチ操作に応じてタッチパネル２０３から操作信号が出力された場合には、ステップＳ６が肯定判定されてステップＳ７へ進む。タッチパネル２０３から操作信号が出力されていない場合には、ステップＳ６が否定判定されて当該判定処理を繰り返す。
【００４０】
ステップＳ７においては、ユーザに累進屈折力レンズＬ１、Ｌ２の下部に視線が位置するように促すメッセージを表示用モニタ２０２に表示してステップＳ８へ進む。ステップＳ８では、メモリ２０５に格納された参照画像データを読み出して再生動画データを生成して、表示用モニタ２０２に生成した再生動画データに対応する動画を再生表示させて処理を終了する。
【００４１】
上述した実施の形態によれば、次の作用効果が得られる。
（１）レンズ性能比較装置１００の観察部１１０は、異なる非点収差領域の影響を有する累進屈折力レンズＬ１、Ｌ２のそれぞれを、携帯表示端末２００の表示用モニタ２０２に対向して保持する保持部１１１と、表示用モニタ２０２と累進屈折力レンズＬ１、Ｌ２との相対位置を、表示用モニタ２０２と実質的に平行な平面上、すなわちｘｙ平面に平行な面上で調整可能な脚部１１２、１１３とを有するようにした。したがって、携帯表示端末２００に再生表示される動画を、累進屈折力レンズＬ１、Ｌ２の非点収差領域の影響が顕著となる位置で観察可能となるように位置を微調整して、レンズ特性の優劣を容易に比較できるので、性能が改善された累進屈折力レンズの販売促進等への寄与度を高くできる。
【００４２】
（２）第１脚部１１２の端部１１２ａと、第２脚部１１３の端部１１３ａとが、携帯表示端末２００をｘ軸方向に沿って外側から挟持するようにした。したがって、携帯表示端末２００を机等に載置した場合でもレンズ特性の優劣を効果的に比較できる位置で累進屈折力レンズＬ１、Ｌ２を介して動画を観察可能となり、性能が改善された累進屈折力レンズの販売促進へ寄与できる。
【００４３】
（３）載置部１２０は、携帯表示端末２００の表示用モニタ２０２が水平面に対して所定の角度を形成するように携帯表示端末２００を載置するようにした。したがって、観察者が窮屈な姿勢を取ることなく累進屈折力レンズＬ１、Ｌ２を介して携帯表示端末２００の表示用モニタ２０２に再生表示される動画を観察することができる。
【００４４】
（４）累進屈折力レンズＬ１、Ｌ２は、非点収差領域に応じた方向、すなわち累進屈折力レンズＬ１、Ｌ２がｘ軸に沿うとともに、累進屈折力レンズＬ１、Ｌ２のそれぞれの並び方向がｘ軸方向に沿うように保持部１１１上に配列されるようにした。したがって、それぞれの累進屈折力レンズＬ１、Ｌ２における非点収差領域による影響を明確に観察することができる。
【００４５】
（５）レンズ性能比較システム１は、通信回線を介して参照画像データを取得して、携帯表示端末２００に読み込んだ後、参照画像データに対応する動画を、携帯表示端末２００の表示用モニタ２０２に累進屈折力レンズＬ１、Ｌ２により観察可能に再生するようにした。したがって、携帯表示端末２００等の小型の装置上に動画を再生表示させるので、広いスペースが確保できない場合であっても累進屈折力レンズＬ１、Ｌ２の性能比較ができる。また、携帯表示端末２００を用いることにより持ち運びが簡便となるので、販売店等で専用ブース等を確保する必要がなくなる。
【００４６】
（６）再生部２０１ｂは、累進屈折力レンズＬ１、Ｌ２が配列された方向（すなわちｘ軸方向）またはｘ軸と直交するｙ軸方向に移動し、実質的に同一の大きさの動体物を、累進屈折力レンズＬ１、Ｌ２を介して観察者の視線を累進屈折力レンズＬ１、Ｌ２が配列された方向と直交する方向（すなわちｙ軸方向）において所定位置に保持させたまま観察可能に再生するようにした。したがって、累進屈折力レンズＬ１、Ｌ２の下部を介して動画を観察することにより、観察者は、非点収差領域に起因する歪みやボケの影響を、静止画を観察する場合よりもより明確に把握することができる。
【００４７】
（７）再生部２０１ｂは、観察者の視線を累進屈折力レンズＬ１、Ｌ２のうちの非点収差領域の近傍に保持させるための動画を再生した後、動体物を動画として再生表示するようにした。したがって、観察者に累進屈折力レンズＬ１、Ｌ２の下部、すなわち非点収差領域の影響が顕著となる領域に視線が位置するように促して、累進屈折力レンズＬ１、Ｌ２の性能の相違をより明確に観察させることが可能になる。
【００４８】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００４９】
１…レンズ性能比較システム、１００…レンズ性能比較装置、
１１０…観察部、１１１…保持部、１１２…第１脚部、
１１３…第２脚部、１２０…載置部、
２００…携帯表示端末、２０１…制御装置、
２０１ａ…読込部、２０１ｂ…再生部、
２０２…表示用モニタ、２０４…通信部
【図１】
2015004707.tif 000003
【図２】
2015004707.tif 000004
【図３】
2015004707.tif 000005
【図４】
2015004707.tif 000006
【図５】
2015004707.tif 000007
【図６】
2015004707.tif 000008
【図７】
2015004707.tif 000009
【図８】
2015004707.tif 000010
【図９】
2015004707.tif 000011